(57)【要約】【課題】カーテン下及びフロート部上または両端から汚濁物質を流出させず、フロート部両端の係留金具が水位の変化に応じた上下移動を好適に行うことのできる汚濁防止フェンスを提供することを目的とする。【解決手段】カーテン下部を河床、海底に着定させたままで、フェンス上部のフロート部を常に水面上に浮かせ、係留部を常に護岸から離さずに汚濁物質の流出を防止することを特徴とする汚濁防止フェンス。【選択図】図１
0003152606.tif 000002
【実用新案登録請求の範囲】
【請求項１】
下水道の排水口および雨水吐口から河川、港湾、海洋に設けられるフロート部とカーテン部からなる汚濁防止フェンスにおいて、カーテン部の下端が水底面に着定するようにウエイトが常に河床、海底に着定したボトムアンカーとし、フロート部の左右水平方向の両端部の係留金具が水位の変位に追随可能であり、サイドアンカーのガイドワイヤーと連結したことを特徴とする汚濁防止フェンス。
【考案の詳細な説明】
【技術分野】
【０００１】
本考案は、下水道の排水口および雨水吐口から河川、湖沼、ダム湖、港湾、海洋等に濁質、浮遊ゴミ、油等の汚濁物質の流出を防ぐための、汚濁防止を目的としたフェンスに関する。
【背景技術】
【０００２】
従来、下水道の排水口および雨水吐口に設ける汚濁物質の流出を防止するフェンスは、フェンスの上部フロート部を水面に浮かべ、フェンスの下部カーテン部を水中に垂下させており、フロート部の両端に係留部を設け、係留部にロープを結束し、ロープの反対端を河川護岸、港湾護岸等に係留していた。また他の方法で護岸等に設けられたガイドレールとしての中空管を用い、該中空管に垂直にスリット状の切り欠き部を設け、該中空管内を摺動可能なフロート状金具をフロート部の左右両端の係留部に設けた汚濁防止フェンスが知られている。更にカーテンを水中に垂れ下げるために、ウエイトを設けていた。また他の方法としてカーテンを河床、海底に着定させる為にウエイトとしてＨ型鋼を設け、フロート部を水中に浮上させて、カーテン部を水底面から自立させた汚濁防止フェンスが知られている。
しかしながら、これらのフェンスでは、係留部にロープを結束し、ロープの反対端を河川護岸或いは港湾護岸等に係留していた場合、雨水吐口からの速い流速によってフェンスが護岸から離れ、その離れた個所から汚濁物質等が流出していた。また護岸とフェンス係留部を離さない構造として、護岸等に設けられたガイドレールとしての中空管を用い、該中空管内を摺動可能なフロート状金具をフェンスの上部フロート部の両端の係留部に設けた場合、スリット状の切り欠き部から浮遊ゴミが該中空管内に入り、中空管と摺動可能なフロート状金具の間に挟まり、フロート状金具が固定されたままで、水位の変動に追随しなくなり、常に中空管内のゴミを取り除かなければならず管理上好ましくなかった。更にカーテンを水深下に垂れ下げるために、ウエイトチェーンを設けた場合、速い流速によってカーテンが捲れ、カーテンの下から汚濁物質等が流出していた。カーテンの下から汚濁物質等を流出させない構造として、ウエイトをＨ型鋼に変えカーテン下部を河床、海底に着定させた場合、フロート部が係留されておらず、雨水吐口からの速い流速によってフェンスが護岸から離れ、その離れた個所から汚濁物質等が流出するという欠点があった。
【０００３】
このような欠点を解消する構造として、護岸からフロート部を離さずカーテンの下から汚濁物質等を流出させない構造として、係留部を護岸等に設けられた中空管をガイドレールとして用い、該中空管内を摺動可能なフロート状金具をフェンスの上部フロート部の両端の係留部に設け、ウエイトをＨ型鋼に変えカーテン下部を河床、海底に着定させた場合、速い流速によってフェンスに抗力が生じ、その抗力を上部フロート部の両端の２箇所の係留部に全て受けて中空管とフロート状金具に摩擦抵抗が生じ、フロート状金具が水位の変動に追随しなく、目的とする効果が得られずにフロート部の両端の係留部が固定されたまま水没するという欠点があった。
【考案の概要】
【考案が解決しようとする課題】
【０００４】
そこで、本考案者は、これらの問題点をふまえ、設置後の管理が容易で長期間の使用に耐えることのできる汚濁防止フェンスについて種々検討を重ねた結果本考案を完成するに至った。
【課題を解決するための手段】
【０００５】
すなわち、本考案は、カーテン下部を河床、海底に着定させたままで、フェンス上部のフロート部を常に水面上に浮かせたボトムアンカー方式と、係留部を常に護岸から離さずに水位の変動に追随させるサイドアンカー方式を採用し、汚濁物質の流出を防止することを特徴とする汚濁防止フェンスである。
【０００６】
次に本考案を図面を参照しながら説明するが本考案は以下の説明のみに限定されるものではない。
【０００７】
図１は本考案における汚濁防止フェンスの正面図である。下水道の排水口１は港湾に出ている。排水口１の出口に汚濁防止フェンス６が海底３に着定したボトムアンカーで、水面４上にフロート部７が浮上した状態で着定自立している。護岸壁面５にサイドアンカーのガイドワイヤーとしての壁面係留金具８を設け、該壁面係留金具８に該フロート部７の左右水平方向の両端に係留金具９を設けることにより、汚濁拡散防止の役割を果たすことになる。
汚濁防止フェンス６の構造は、汚濁防止フェンス６の上部にフロート部７を有し、該フロート部７はテンションベルト１０とフロート１１で構成されている。フロート部７の左右水平方向の両端には係留金具９を有し、壁面係留金具８に係留される。汚濁防止フェンス６の下部にカーテン部１２を有し、カーテン部１２の下端にウエイト１３を有する。ウエイト１３は、カーテン部１２の下端の全辺に設けられ、海底３に着定し、汚濁防止フェンス６全体を自立させて、排水口１の出口全面の汚濁拡散防止の役割を果たすことになる。
【０００８】
図２は本考案における汚濁防止フェンスの側面図である。下水道の排水口１の出口の港湾２側に汚濁防止フェンス６が海底３に着定し、水面４上にフロート部７が浮上した状態で自立している。護岸壁面５に壁面係留金具８を設け、該壁面係留金具８に該フロート部７の片端の係留金具９を設け護岸壁面５に係留している。カーテン部１２の下端にウエイト１３を有する。ウエイト１３は、カーテン部１２の下端の全辺に設けられ、常に海底３に着定している。
【０００９】
本考案における汚濁防止フェンス６は港湾２の水位が満潮時に於いても水面４からフロート部７が浮上するだけのカーテン部１２の丈長を有しており、水深が変動しても常にフロート部７が浮上する着定自立型の汚濁防止フェンス６であり、排水口１から流出する汚濁物質の流出を防止することができる。
【００１０】
図３は本考案における汚濁防止フェンス６の左端部を拡大した正面図である。汚濁防止フェンス６を係留する壁面係留金具８は、護岸壁面５の上と下の２ヵ所に固定金具１４をアンカー具等で固定し、上下の固定金具１４の間に係留金具９のガイドレールとしてワイヤーロープ１５を張る、固定金具１４とワイヤーロープ１５はシャックル１６及びターンバックル（図示せず）によって連結される。ターンバックルはワイヤーロープ１５を弛ませずに張ることが出来る。壁面係留金具８は、汚濁防止フェンス３の左右両脇に２ヵ所設ける。
【００１１】
本考案における汚濁防止フェンス６のフロート部７の両端の係留金具９は、フロート部７の左右水平方向の両端２か所に設け、フロート部７の端を上下２点で連結し、係留金具９のフロート部７とは反対側の壁面係留金具８側の端は、ワイヤーロープ１５を通せるように円形又は楕円形のリング１７から成っている。係留金具９と壁面係留金具８の連結接点はリング１７とワイヤーロープ１５であり、接触面が小さく摩擦抵抗が少ないため、水位の変動に於いて、係留金具９はフロート部７の上下動作に合わせて簡単に追随可能な構造であり、且浮遊ゴミがリング１７に入るか、或いはリング１７とワイヤーロープ１５の間に挟まっても、フロート部７の上下動作に影響を及ぶすことが少ない構造である。
更に、リング状フロート（図示せず）をワイヤーロープ１５に通し、該リング状フロートの上にワイヤーロープ１５に通した係留金具９のリング１７を設けると更に好適である。
【００１２】
本考案の汚濁防止フェンス６は、カーテン部１２の下端の全辺にウエイト１３を設けており、汚濁防止フェンス３が流れによる流力或いは波による波力等の抗力を受けても、抗力をカーテン部１２の下端の全辺に分散し、係留金具９に係る力を抑え、係留金具９と壁面係留金具８に係る摩擦力を抑え、フロート部７の上下動作に簡単に追随可能となる。
【００１３】
更に、係留金具９は三方を連結する方法で係留金具に係る力を吸収・分散しやすい構造である。また壁面係留金具８とリング１７の接点部は、ワイヤーロープ１５であり、リング１７に引張り力を受けても、ワイヤーロープ１５の伸縮柔軟構造体が力を吸収する構造であり、各係留金具の随所に係る力を緩衝し、水位の上下変動に係留金具の移動が追随する。従来用いられている係留部を護岸等に設けられた中空管は剛体構造であり、引張り力を吸収しないため、ワイヤーロープは部材強度を抑えることが可能であり、コスト削減が可能で経済性に優れる。
【考案の効果】
【００１４】
本考案の汚濁防止フェンスを用いることによって、水面の浮遊ゴミや水中の汚濁物資質を流出させることなく、部材強度を小さく抑え、経済性に優れ、実質の環境保全効果が高い汚濁防止フェンスを提供する。
【図面の簡単な説明】
【００１５】
【図１】本考案の汚濁防止フェンスの正面図
【図２】本考案の汚濁防止フェンスの側面図
【図３】本考案の汚濁防止フェンスの左端部を拡大した正面図
【符号の説明】
【００１６】
１・・・・排水口
２・・・・港湾
３・・・・海底
４・・・・水面
５・・・・護岸壁面
６・・・・汚濁防止フェンス
７・・・・フロート部
８・・・・壁面係留金具
９・・・・係留金具
10・・・・テンションベルト
11・・・・フロート
12・・・・カーテン部
13・・・・ウエイト
14・・・・固定金具
15・・・・ワイヤーロープ
16・・・・シャックル
17・・・・リング
【図１】
0003152606.tif 000003
【図２】
0003152606.tif 000004
【図３】
0003152606.tif 000005